(57)【要約】  放送波を受信して番組の再生及びガイド情報を表示する装置において、ガイド情報が不足した場合でも簡易な構成でガイド情報を補完できる技術を提供する。受信装置が、番組及び付加データを多重化した放送波を放送局から受信し、受信した付加データからガイド情報を抽出し、前記付加データから抽出したガイド情報が不足している場合に、該付加データが示すサーバに接続して該サーバが提供するウエブページを取得し、前記ウエブページからガイド情報を生成して前記ガイド情報を補完する。
2009098775.tif 000002
【特許請求の範囲】
【請求項１】
番組及び付加データを多重化した放送波を放送局から受信する受信部と、
受信した付加データからガイド情報を抽出するガイド情報抽出部と、
前記付加データから抽出したガイド情報が不足している場合に、該付加データが示すサーバに接続して該サーバが提供するウエブページを取得するウエブページ取得部と、
前記ウエブページからガイド情報を生成して前記ガイド情報を補完する補完部と、
を備えた受信装置。
【請求項２】
前記ガイド情報を表示部に表示させる表示制御部を備えた請求項１に記載の受信装置。
【請求項３】
前記ガイド情報に基づき前記番組を記憶部に記録させる記録制御部を備えた請求項１又は２に記載の受信装置。
【請求項４】
前記ウエブページ取得部が、前記付加データから抽出したガイド情報以外のガイド情報を要求された場合、又は、補完後のガイド情報以外のガイド情報を要求された場合に、ガイド情報が不足していると判断し、前記サーバからウエブページを取得する請求項１から３の何れか１項に記載の受信装置。
【請求項５】
番組及び付加データを多重化した放送波を放送局から受信するステップと、
受信した付加データからガイド情報を抽出するステップと、
前記付加データから抽出したガイド情報が不足している場合に、該付加データが示すサーバに接続して該サーバが提供するウエブページを取得するステップと、
前記ウエブページからガイド情報を生成して前記ガイド情報を補完するステップと、
を受信装置が実行する受信方法。
【請求項６】
前記ガイド情報を表示部に表示させる請求項５に記載の受信方法。
【請求項７】
前記ガイド情報に基づき前記番組を記憶部に記録させる請求項５又は６に記載の受信方法。
【請求項８】
前記付加データから抽出したガイド情報以外のガイド情報を要求された場合、又は、補完後のガイド情報以外のガイド情報を要求された場合に、ガイド情報が不足していると判断し、前記サーバからウエブページを取得する請求項５から７の何れか１項に記載の受信方法。
【請求項９】
番組及び付加データを多重化した放送波を放送局から受信するステップと、
受信した付加データからガイド情報を抽出するステップと、
前記付加データから抽出したガイド情報が不足している場合に、該付加データが示すサーバに接続して該サーバが提供するウエブページを取得するステップと、
前記ウエブページからガイド情報を生成して前記ガイド情報を補完するステップと、
を受信装置に実行させる受信プログラム。
【請求項１０】
前記ガイド情報を表示部に表示させる請求項９に記載の受信プログラム。
【請求項１１】
前記ガイド情報に基づき前記番組を記憶部に記録させる請求項９又は１０に記載の受信プログラム。
【請求項１２】
前記ガイド情報の取得を要求された場合、前記付加データから抽出したガイド情報以外のガイド情報を要求された場合、又は、補完後のガイド情報以外のガイド情報を要求された場合に、ガイド情報が不足していると判断し、前記サーバからウエブページを取得する請求項９から１１の何れか１項に記載の受信プログラム。
【発明の詳細な説明】
【技術分野】
【０００１】
本発明は、放送データを受信してガイド情報を得る技術に関する。
【背景技術】
【０００２】
ＢＳデジタル放送をはじめとするデジタル放送の受信装置の多くは、放送される番組のガイド情報（ＥＰＧ：Electronic Program Guide）を受信して表示する機能を備えている。さらには、該ＥＰＧを利用して録画予約する機能も実現されている。【０００３】
従来、デジタル放送の受信装置は、据置型の機器が主体であり、処理性能や記憶容量等の問題から携帯型の機器とするのは困難であった。しかし、近年、機器の処理性能の向上や処理デバイスの小型化、携帯受信用の送出規格の策定など、携帯機器でデジタル放送を受信できる環境が整ってきた。【０００４】
また、本発明に関連する先行技術として、例えば、下記の特許文献に開示される技術がある。【０００５】
【特許文献１】特開２００６−４１５８３号公報
【特許文献２】特開２００５−３３５４６号公報
【発明の開示】
【発明が解決しようとする課題】
【０００６】
ＥＰＧを放送受信機で表示するための方法はいくつか存在するが、日本国内のデジタル放送では主にＥＩＴと呼ばれるイベント情報テーブルをはじめとした番組情報データをＶＢＩ（Vertical Blanking Interval）を利用して放送局から送信する。放送受信機はその番組情報データを受信し解析をおこないメモリ上に蓄積を行う。一般的なＥＰＧが備える基本的な機能は、サービスと呼ばれるチャンネルの情報とイベントと呼ばれる番組のタイトルや内容、開始時間などの番組情報を時間軸上に表示するものである。【０００７】
ＢＳデジタル放送の運用では、テレビ番組に関しては８日分の番組情報表示を可能にするために、８日分のテレビ番組情報を周期的に送信しつづけている。【０００８】
一方、地上波デジタル放送に関しても同様にＥＩＴを用いた番組情報の送信が行われているが、地上波デジタル放送では固定／移動／携帯受信機をターゲットとした情報量の異なる３種類のＥＩＴが存在する。それぞれ、固定受信機向けにＨ−ＥＩＴ、移動受信機向けにＭ−ＥＩＴ、携帯受信機向けにＬ−ＥＩＴと呼ぶ。固定受信機向けのＥＩＴに関しては、ほぼＢＳデジタル放送と同様の運用が行われており、受信機は８日分のテレビ番組情報を表示することが可能である。【０００９】
固定受信機向け放送では、ひとつのチャンネルを通常およそ１２セグメント（以下フルセグとも称す。）という帯域幅で送信するが、携帯受信機向け放送ではワンセグメント（以下ワンセグとも称す）という狭帯域での放送が行われる。それは、携帯受信機が表示できる表示装置の解像度が非常に低く、表示画面サイズも小さいため、低ビットレートの映像信号でも実使用上十分な映像品質を確保できるためである。それに伴い、携帯受信機向けの番組情報であるＬ−ＥＩＴは、Ｈ−ＥＩＴに比べて情報量が少ない。地上波デジタル放送の運用規定では、Ｌ−ＥＩＴで送出することができるイベント数は最大１０イベントとなっており、現在放送されている番組を含めてそれ以降の最大１０番組の番組情報しか送出されない。放送局によっては、番組情報が無い場合もある。つまり、携帯受信機がＥＰＧとして表示できる番組の数は、固定受信機に比べて少なく、通常は一日分の番組表さえ蓄積および表示することができない。【００１０】
即ち、携帯受信機ではＥＰＧを利用して録画予約を行おうとしても、最大１０番組先までしか予約することができない。【００１１】
このため、携帯受信機においても、固定受信機と同様に１０番組より先の番組情報を利用したいという要求があった。【００１２】
特開2006-41583号公報には、ワンセグ放送を受信する携帯受信機であっても、フルセグ放送受信と同じEPG情報を得る記述がある。【００１３】
しかし、特開2006-41583号公報の構成では、携帯受信機にフルセグ放送のチューナを内蔵するか、若しくはフルセグ放送のチューナを備えた別の機器との接続により、フルセグ放送で受信したＥＰＧ情報を携帯機器へ取り込むことになる。【００１４】
この構成では、フルセグ放送を受信するチューナが必須であり、ワンセグチューナを用いることにより回路規模を小さくするという携帯機器本来の優位点を打ち消すことになり、望ましくない。【００１５】
また、特開2005-33546号公報では、サーバがiEPGのデータベースから情報を得て保存し、このサーバからＴＶ表示を行う機器がEPG情報を取得している。iEPGのデータベースは、ＴＶ番組の情報を個別に送信するのではなく、全チャンネルの更新分のデータを一方的に配信する構成であるので、この更新分のデータを検索可能な状態で蓄積し、受信装置から要求された番組のガイド情報を索出して当該受信装置に送信するサーバが必要である。従って、特開2005-33546号公報のシステムでは、iEPGを利用してガイド情報を得るために、このサーバを維持・管理しなければならないという問題がある。【００１６】
そこで、受信装置において簡易な構成でガイド情報が得られる技術を提供する。
【課題を解決するための手段】
【００１７】
上記課題を解決するため、受信装置、受信方法、受信プログラムは、以下の構成を採用した。【００１８】
即ち、受信装置は、
番組及び付加データを多重化した放送波を放送局から受信する受信部と、
受信した付加データからガイド情報を抽出するガイド情報抽出部と、
前記付加データから抽出したガイド情報が不足している場合に、該付加データが示すサーバに接続して該サーバが提供するウエブページを取得するウエブページ取得部と、
前記ウエブページからガイド情報を生成して前記ガイド情報を補完する補完部と、
を備えた。【００１９】
前記受信装置は、前記ガイド情報を表示部に表示させる表示制御部や、前記ガイド情報に基づき前記番組を記憶部に記録させる記録制御部を備えても良い。【００２０】
前記ウエブページ取得部は、前記付加データから抽出したガイド情報以外のガイド情報を要求された場合、又は、補完後のガイド情報以外のガイド情報を要求された場合に、ガイド情報が不足していると判断し、前記サーバからウエブページを取得しても良い。【００２１】
また、受信方法は、
番組及び付加データを多重化した放送波を放送局から受信するステップと、
受信した付加データからガイド情報を抽出するステップと、
前記付加データから抽出したガイド情報が不足している場合に、該付加データが示すサーバに接続して該サーバが提供するウエブページを取得するステップと、
前記ウエブページからガイド情報を生成して前記ガイド情報を補完するステップと、
を備える。【００２２】
前記受信方法において、前記ガイド情報を表示部に表示させるステップ、前記ガイド情報に基づき前記番組を記憶部に記録させるステップを備えても良い。【００２３】
前記受信方法において、前記付加データから抽出したガイド情報以外のガイド情報を要求された場合、又は、補完後のガイド情報以外のガイド情報を要求された場合に、ガイド情報が不足していると判断し、前記サーバからウエブページを取得しても良い。【００２４】
また、受信プログラムは、上記方法をコンピュータに実行させるプログラムであっても良い。更に、本発明は、このプログラムをコンピュータが読み取り可能な記録媒体に記録したものであっても良い。コンピュータに、この記録媒体のプログラムを読み込ませて実行させることにより、その機能を提供させることができる。【００２５】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。【００２６】
また、コンピュータに固定された記録媒体としてハードディスクやＲＯＭ（リードオンリーメモリ）等がある。
【発明の効果】
【００２７】
本発明によれば、簡易な構成でガイド情報が得られる技術を提供する。
【図面の簡単な説明】
【００２８】
【図１】受信装置の機能ブロック図
【図２】受信装置としてのパーソナルコンピュータの概略図
【図３】受信方法の説明図
【図４】選択メニューの一例を示す図
【図５】番組表を表示した際の画面例を示す図
【図６】取得したウエブページの例を示す図
【図７】取得したウエブページの例を示す図
【図８】取得したウエブページの例を示す図
【発明を実施するための最良の形態】
【００２９】
〈実施形態１〉
以下にデジタルテレビ(ワンセグ)放送を受信して、テレビ番組を表示及び録画する機能を備えた受信装置とした実施形態を説明する。以下の実施形態の構成は、例示であり、必ずしもこの構成に限定されるものではない。【００３０】
図１は、本実施形態に係る受信装置の機能ブロック図である。受信装置１０は、図示されない放送局からのデジタル放送信号を受信可能な受信端末であり、例えば、ワンセグ放送によるデジタル放送信号を受信可能な携帯電話機等の携帯端末である。地上デジタル放送においては、６ＭＨｚ（メガヘルツ）の帯域が１３のセグメントに分割されており、高精細テレビジョン番組が、その１３セグメントの内の１２セグメントを利用して放送され、同じ内容の番組を携帯端末向けにダウンコンバートし１つのセグメントを利用して放送される。このワンセグメントを利用した放送が「ワンセグ放送」と呼ばれている。即ち、ワンセグ放送は、解像度やフレームレートを抑えた携帯端末向けのデジタル放送である。【００３１】
受信装置１０は、図１に示すように、受信部（ＴＶチューナ）１１や、ガイド情報抽出部１２、ウエブページ取得部１３、補完部１４、テレビ番組やガイド情報を表示する表示部１５、表示制御部１６、記憶部１７、記録制御部１８、音声制御部１９、音声出力部２１、操作入力部２２とを備えている。【００３２】
受信部１１は、番組及び付加データを多重化した放送波を放送局から受信し、ＯＦＤＭ（Orthogonal Frequency Division Multiplexing）伝送方式による変調を復調して、デジタル信号であるＭＰＥＧ２（Moving Picture Experts Group 2）−ＴＳ（Transport Stream）等のトランスポートストリーム信号（以下、「ＴＳ信号」という）を得る。【００３３】
そして、受信部１１は、このＴＳ信号をＴＳパケットに分離する。このＴＳパケットには、映像データを表す映像パケットや、音データを表す音声パケット、付加データを表す付加情報パケットがある。【００３４】
本実施形態では、前記番組が映像データと音データとからなっているが、これに限らず、映像データのみ、あるいは音データのみであっても良い。【００３５】
付加データには、字幕情報や、ガイド情報（Ｌ−ＥＩＴ）、データ放送情報等が含まれている。ガイド情報抽出部１２は、受信した付加情報パケットからガイド情報を抽出する。【００３６】
ウエブページ取得部１３は、前記付加データから抽出したガイド情報が不足している場合に、該付加データが示すリンク先のサーバに接続して該サーバが提供するウエブページを取得する。【００３７】
ウエブページ取得部１３は、例えば、ガイド情報の取得を要求された場合、前記付加データから抽出したガイド情報以外のガイド情報を要求された場合、又は、補完後のガイド情報以外のガイド情報を要求された場合に、ガイド情報が不足していると判断し、前記サーバからウエブページを取得する。【００３８】
補完部１４は、前記ウエブページからガイド情報を生成して前記ガイド情報を補完する。【００３９】
表示部１５は、例えば、液晶表示装置、プラズマディスプレイパネル、ＣＲＴ（Cathode Ray Tube）、エレクトロルミネッセンスパネル等である。なお、図示されていないが、表示部１５には、画像データを格納するＲＡＭ、およびＲＡＭのデータに基づき表示部１５を駆動する駆動回路が含まれる。ただし、画像データを格納するＲＡＭ、表示部１５を駆動する駆動回路等は、画像処理基板として独立に設けても良い。その場合に、画像処理基板には、表示制御部１６からの画面情報を構成するデータが入力される。【００４０】
表示制御部１６は、映像パケットを復号した映像信号を表示部１５に出力することによって、表示部１５にテレビ番組の映像を表示させる。また、表示制御部１６は、番組表（ガイド情報）やデータ放送該表示部１５にテレビ番組やガイド情報を表示させる。【００４１】
音声制御部１９は、音声パケットをデコードして音信号を生成し、音出力部２１に出力する。音声制御部１９から出力された音信号は、スピーカ等からなる音出力部２１によって音として出力される。【００４２】
記憶部１７は、ハードディスクやフラッシュメモリ等の比較的大容量の記憶装置であり、テレビ番組やガイド情報を記憶する。【００４３】
記録制御部１８は、映像データや音声データ、付加データを記憶部１７に記憶させることで、テレビ番組や番組表（ガイド情報）を記録する。【００４４】
操作入力部２２は、テレビのチャネル選択や録画予約等のユーザによる操作を受けて、この操作を示す情報を他部へ入力する。【００４５】
受信装置１０は、上記各部を専用の電子回路（ハードウェア）で構成しても良いし、汎用のコンピュータにプログラムを動作させて上記各部の少なくとも一部をソフトウェア的に実現したものでも良い。【００４６】
図２は、本実施形態の受信装置としてのパーソナルコンピュータの概略図である。【００４７】
コンピュータ１０は、演算処理部１や、通信制御部４、受信部（ＴＶチューナ）１１、表示部１５、記憶部１７、音声出力部２１、操作入力部２２を備えている。【００４８】
操作入力部２２は、例えば、キーボード、ポインティングデバイス等である。また、操作入力部２２として、赤外線受光部と赤外線リモコンとの組み合わせによるリモコン操作部や、各種のスイッチ、チャンネル操作用のつまみ等が含まれる。ポインティングデバイスの種類には特に限定はなく、マウス、トラックボール、ダイヤル式操作部、スティック形式で表示部１５上のポインタを移動する装置、静電容量によってユーザの指の操作を検出するデバイス、タッチパネル、ジョイスティック等、コンピュータ１０の特性、ユーザのニーズ等に応じて、適切なものを使用すればよい。【００４９】
キーボードは、ユーザの入力操作に応じて、入力されたキーに対応する電気信号を不図示のキーボードコントローラに送信する。キーボードコントローラは、その電気信号に対応する符号を演算処理部１に送信する。【００５０】
通信制御部４は、ネットワークを介した他のコンピュータとの通信を制御する。該通信制御部４は、例えば、ルータを介してインターネット等のネットワークと接続するためのネットワークカードや、無線アクセスポイントと接続する無線ＬＡＮモジュール、携帯電話回線を介してデータ通信を行う通信モジュール等である。【００５１】
記憶部１３は、前記テレビ番組やガイド情報などのユーザデータの他、オペレーティングシステム（ＯＳ）やアプリケーションソフト（受信プログラム等）がインストールされている。【００５２】
前記演算処理部１は、ＣＰＵやメインメモリ等からなり、前記ＯＳやアプリケーションプログラムを記憶部１７から適宜読み出して実行し、操作入力部３や通信制御部４から入力された情報、及び記憶部１７から読み出した情報を演算処理する。該処理の結果、演算処理部１は、上記各部に命令を送って該命令に応じた動作を行わせることにより、ウエブページ取得部１３や、補完部１４、表示制御部１６、記録制御部１８、音声制御部１９としても機能する。【００５３】
受信装置１０は、ワンセグ放送を受信した際、ガイド情報を取得し、番組表を表示する。該番組表からユーザが所望の番組を選択すると、受信装置１０は、該番組のＥＰＧ情報に含まれるチャネル番号、放送開始時間、放送終了時間に基づき、録画予約を行う。【００５４】
ここで、ワンセグ放送のガイド情報は、１０番組に限られるため、ユーザが１０番組より後の番組を所望した場合、当該番組の情報は、番組表に入っておらず、この番組表（ＥＰＧ）を用いた録画予約が行えない。【００５５】
そこで、本実施形態の受信装置１０は、前記データ放送のマークアップ言語（本例ではＢＭＬ(Broadcast Markup Language)）で記述されたデータのうち当該放送局のウエブサイトを示すリンクに基づき、リンク先のサーバに接続してウエブページを取得し、該ウエブページからガイド情報を作成する。これにより、ＥＰＧ情報が不足している場合でも、インターネット等のネットワークを介して放送局のウエブサイトからウエブページを取得してＥＰＧ情報を補うことができる。【００５６】
図３は、コンピュータ１０が受信プログラムに従って実行する受信方法の説明図である。【００５７】
テレビ用のアプリケーションソフト（受信プログラム）を起動すると（ステップ１、以下Ｓ１のようにも称す）、チューナ１１で放送波を受信し、ユーザによって選択されたチャネルの映像データや音データ、付加データを得る（Ｓ２）。【００５８】
表示制御部１６が、この映像データに基づき映像を表示させると共に、音声制御部１９が音出力させ、テレビ番組を再生する（Ｓ３）。【００５９】
また、受信した付加データを演算処理部１が記憶部１７に記憶させ（Ｓ４）、表示制御部１６がデータの選択メニューを表示させる（Ｓ５）。【００６０】
本実施形態では、図４に示すように、テレビ用アプリケーションソフトのウィンドウ３１のうち、テレビ表示欄３２に受信したテレビ番組の動画像を表示し、データ表示欄３３に選択メニューを表示し、操作欄３９にチャネルや音量の操作ボタンを表示する。【００６１】
図４に示した選択メニューの例では、ニュース、交通情報、番組表（ＥＰＧ）、データ放送トップ、災害情報といったメニューを選択するボタン３４〜３８が表示されている。このボタン３４〜３８の選択によってデータ放送のニュースや交通情報の表示、或はＥＰＧの表示を行うことができる。【００６２】
そして、コンピュータ１０は、このテレビ番組を表示した状態で、番組表の要求や、ユーザ操作の入力待ちとする（Ｓ６）。この入力に応じて多種の機能に分岐するが、図３では、便宜上ガイド情報の要求と、番組表を用いた録画予約、終了、及びそれ以外の処理に分けて示している。【００６３】
ユーザは、番組表の表示を要求する場合、操作入力部２２を操作して番組表ボタン３６を押す（選択する）。これにより該番組表ボタン３６が押された旨の信号、即ちガイド情報取得の要求が、操作入力部２２により入力され（Ｓ６）、表示制御部１６は、ガイド情報抽出部１２で抽出したガイド情報を記憶部１７から読み出す（Ｓ７）。【００６４】
そして、要求されたガイド情報が記憶部１７に在れば（Ｓ８）、当該ガイド情報を表示する（Ｓ９）。【００６５】
本実施形態では、図５に示すように、データ表示欄３３に番組表としてガイド情報を放送時間順に一覧表示する。【００６６】
そして、コンピュータ１０は、この番組表を表示した状態で入力待ち（Ｓ６）に戻る。ここで、図５の番組表には、下端に”前へ”ボタン４１と”次へ”ボタン４２も表示されており、これらボタン４１，４２が押されると、前又は次のガイド情報が要求される。【００６７】
即ち、操作入力部２２により、”次へ”ボタン４２が押された場合、データ表示欄３３に表示中のガイド情報の次のガイド情報の要求が入力され（Ｓ６）、表示制御部１６は、当該ガイド情報を記憶部１７から読み出して表示する（Ｓ７−９）。同様に、”前へ”ボタン４１が押された場合、表示制御部１６は、データ表示欄３３に表示中のガイド情報の前のガイド情報を記憶部１７から読み出して表示する（Ｓ７−９）。【００６８】
なお、ワンセグ放送のＬ−ＥＩＴでは、１０番組分のガイド情報しか提供されないため、これらボタン４１，４２が押されて、前又は次のガイド情報が要求されても、記憶部１７中に存在しないこともある（Ｓ８）。【００６９】
このガイド情報が不足している場合には、ウエブページ取得部１３が、前記放送局から受信した付加データのデータ放送の情報から当該放送局のウエブサイトを示すリンク先を抽出する。このデータ放送は、データ放送の他のページへのリンクや、インターネット等のネットワーク上のウエブサイトへのリンクなどがＢＭＬ(Broadcast Markup Language)で記述されている。１０番組より先の番組表のように、情報量の多いページは、通常ウエブサイトで提供されている。【００７０】
このため、ウエブページ取得部１３は、該データ放送の情報から、タグやページ中の位置、テキストが一致するか等の所定条件に従って当該放送局のウエブサイトへのリンク（アドレス）を抽出する。そして、ウエブページ取得部１３は、該リンク先のサーバに接続し、該サーバからウエブページを取得する（Ｓ１０）。なお、このデータ放送中のリンクに基づいてサーバに接続する手法に限らず、各放送局のサーバのアドレス（例えばＵＲＬ）を予め記憶部１７に記憶させておき、ガイド情報が要求された場合に、該ガイド情報（付加データ）が示す放送局に基づき、記憶部１７から対応するＵＲＬを抽出し、当該放送局のサーバに接続しても良い。【００７１】
図６−８は、ウエブページ取得部１３が取得したウエブページの例である。ウエブページ取得部１３は、先ず前記リンクが示すホームページ（図６）を取得し、該ページ中の番組表と記されたリンク先のウエブページ（図７）を取得する。【００７２】
なお、ウエブページ取得部１３は、図６のホームページから、タグやページ中の位置、テキストが一致するか等の所定条件に従ってリンク（例えば番組表４３）を特定し、リンク先のウエブページ（図７）を取得する。【００７３】
図７のウエブページには、８日分の番組表（図７では一部省略）へのリンクが記されており、ウエブページ取得部１３は、このうち要求されたガイド情報が記されたウエブページを取得する。例えば、前記ステップ６で、１２月２３日の１４時までのガイド情報が表示された状態で”次へ”ボタン４２が押された場合、即ち１２月２３日の１４時より先のガイド情報が不足している場合、１２月２３日分以降のリンク先のウエブページ（図８）を取得する。【００７４】
補完部１４は、図８に示すウエブページに基づきガイド情報を生成する（Ｓ１１）。例えば、タグやページ中の位置、テキストが一致するか等の所定条件に従って前記ウエブページ中の番組名、放送時間（放送開始時間及び放送終了時間）を索出し、チャネル番号を付加してガイド情報とする。このチャネル番号は、前記ガイド情報の要求時に（Ｓ６）、設定されているチャネルの番号をメインメモリ或は記憶部１７に記憶しておいても良いし、前記ウエブサイトのアドレスに対応するチャネル番号を予め記憶しておいても良い。【００７５】
そして、補完部は、この生成したガイド情報を記憶部１７に記憶させることにより、不足していたガイド情報を補完する（Ｓ１２）。【００７６】
表示制御部１６は、この補完されたガイド情報、即ち要求されたガイド情報を表示する（Ｓ９）。【００７７】
また、ユーザの操作に応じ、ステップ６において、この表示されたガイド情報が選択された旨の信号が操作入力部２２により入力されると、記録制御部１８は、選択されたガイド情報を記憶部１７から読出し（Ｓ１３）、該ガイド情報に基づいて録画予約を行う。即ち、記録制御部１８は、該ガイド情報が示すチャネルで放送開始時間から放送終了時間まで放送される番組の記録を予約する（Ｓ１４）。【００７８】
その後、コンピュータ１０は、入力待ち（Ｓ８）に戻り、前記予約した放送時間になると受信した番組データを記録制御部１８が記憶部１７に記憶させる。【００７９】
また、ステップ６において、その他の入力、例えばチャネルの変更や音量変更等の処理を行う旨、入力されると、コンピュータ１０は当該処理を行う（Ｓ１５）。【００８０】
例えば、”ＣＨ−”ボタン４４が押されると、表示制御部１６は、表示中のチャネルよりも一つ前のチャネルの番組をテレビ表示欄３２に表示する。また、”ＣＨ＋”ボタン４５が押されると、表示制御部１６は、表示中のチャネルよりも一つ後のチャネルの番組をテレビ表示欄３２に表示する。なお、この表示中のチャネルがデータ表示欄３３に表示するガイド情報やデータ放送のチャネルとしても設定される。また”ＣＨ”ボタン４６が押されると、表示制御部１６は、登録されているチャネルリストを表示する。【００８１】
そして、ステップ８において、終了する旨の入力が行われた場合、表示制御部１６がウィンドウ３１を閉じ、処理を終了する。【００８２】
上記の例では、ガイド情報をボタン３６，４１，４２の選択によって要求していたが、日時や期間、キーワードを入力することによってガイド情報を要求しても良い。例えば、該日時や期間、キーワードに対応するガイド情報が、記憶部１７に記憶されていなければ、ウエブページ取得部１３がウエブページを取得し、補完部１４によってガイド情報を補完する。【００８３】
また、ウエブサーバからガイド情報を取得することがユーザによって入力（要求）された場合には、常にウエブサーバに接続してガイド情報を補完するように構成しても良い。【００８４】
上述のように、本実施形態によれば、ワンセグ放送の仕様で放送波から取得できるＥＰＧが最大１０番組であっても、これを超えた要求を受けた場合には、自動的に放送局のサーバから不足した情報を補完してＥＰＧを表示できる。【００８５】
このため、フルセグ放送と同様にＥＰＧから１０番組より先の番組の録画予約ができ、録画予約の操作性を向上させることができる。【００８６】
〈その他〉
本発明は、上述の図示例にのみ限定されるものではなく、本発明の要旨を逸脱しない範囲内において種々変更を加え得ることは勿論である。【００８７】
上記実施形態では、受信装置１０としてコンピュータの例を示したが、テレビやラジオ、レコーダー、ＰＤＡ(personal digital assistant)、携帯電話、携帯オーディオプレイヤーといった装置であっても良い。
【図１】
2009098775.tif 000003
【図２】
2009098775.tif 000004
【図３】
2009098775.tif 000005
【図４】
2009098775.tif 000006
【図５】
2009098775.tif 000007
【図６】
2009098775.tif 000008
【図７】
2009098775.tif 000009
【図８】
2009098775.tif 000010
【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
番組及び付加データを多重化した放送波を放送局から受信する受信部と、
受信した付加データからガイド情報を抽出するガイド情報抽出部と、
前記付加データから抽出したガイド情報が不足している場合に、該付加データが示すサーバに接続して該サーバが提供するウエブページを取得するウエブページ取得部と、
前記ウエブページからガイド情報を生成して前記ガイド情報を補完する補完部と、
を備えた受信装置。
【請求項２】
前記ガイド情報を表示部に表示させる表示制御部を備えた請求項１に記載の受信装置。
【請求項３】
前記ガイド情報に基づき前記番組を記憶部に記録させる記録制御部を備えた請求項１又は２に記載の受信装置。
【請求項４】
前記ウエブページ取得部が、前記付加データから抽出したガイド情報以外のガイド情報を要求された場合、又は、補完後のガイド情報以外のガイド情報を要求された場合に、ガイド情報が不足していると判断し、前記サーバからウエブページを取得する請求項１から３の何れか１項に記載の受信装置。
【請求項５】
番組及び付加データを多重化した放送波を放送局から受信するステップと、
受信した付加データからガイド情報を抽出するステップと、
前記付加データから抽出したガイド情報が不足している場合に、該付加データが示すサーバに接続して該サーバが提供するウエブページを取得するステップと、
前記ウエブページからガイド情報を生成して前記ガイド情報を補完するステップと、
を受信装置が実行する受信方法。
【請求項６】
前記ガイド情報を表示部に表示させる請求項５に記載の受信方法。
【請求項７】
前記ガイド情報に基づき前記番組を記憶部に記録させる請求項５又は６に記載の受信方法。
【請求項８】
前記付加データから抽出したガイド情報以外のガイド情報を要求された場合、又は、補
完後のガイド情報以外のガイド情報を要求された場合に、ガイド情報が不足していると判断し、前記サーバからウエブページを取得する請求項５から７の何れか１項に記載の受信方法。
【請求項９】
番組及び付加データを多重化した放送波を放送局から受信するステップと、
受信した付加データからガイド情報を抽出するステップと、
前記付加データから抽出したガイド情報が不足している場合に、該付加データが示すサーバに接続して該サーバが提供するウエブページを取得するステップと、
前記ウエブページからガイド情報を生成して前記ガイド情報を補完するステップと、
を受信装置に実行させるための受信プログラム。
【請求項１０】
前記ガイド情報を表示部に表示させる請求項９に記載の受信プログラム。
【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
番組及び付加データを多重化した放送波を放送局から受信する受信部と、
受信した付加データからガイド情報を抽出するガイド情報抽出部と、
前記付加データから抽出したガイド情報が不足している場合に、該付加データが示すサーバに接続して該サーバが提供するホームページを取得し、該ホームページの内容を解析することにより、番組表が載っているウエブページを特定して取得するウエブページ取得部と、
前記ウエブページからガイド情報を生成して前記ガイド情報を補完する補完部と、
を備えた受信装置。
【請求項２】
前記ガイド情報を表示部に表示させる表示制御部を備えた請求項１に記載の受信装置。
【請求項３】
前記ガイド情報に基づき前記番組を記憶部に記録させる記録制御部を備えた請求項１又は２に記載の受信装置。
【請求項４】
前記ウエブページ取得部が、前記付加データから抽出したガイド情報以外のガイド情報を要求された場合、又は、補完後のガイド情報以外のガイド情報を要求された場合に、ガイド情報が不足していると判断し、前記サーバからウエブページを取得する請求項１から３の何れか１項に記載の受信装置。
【請求項５】
番組及び付加データを多重化した放送波を放送局から受信するステップと、
受信した付加データからガイド情報を抽出するステップと、
前記付加データから抽出したガイド情報が不足している場合に、該付加データが示すサーバに接続して該サーバが提供するホームページを取得し、該ホームページの内容を解析することにより、番組表が載っているウエブページを特定して取得するステップと、
前記ウエブページからガイド情報を生成して前記ガイド情報を補完するステップと、
を受信装置が実行する受信方法。
【請求項６】
前記ガイド情報を表示部に表示させる請求項５に記載の受信方法。
【請求項７】
前記ガイド情報に基づき前記番組を記憶部に記録させる請求項５又は６に記載の受信方法。
【請求項８】
前記付加データから抽出したガイド情報以外のガイド情報を要求された場合、又は、補完後のガイド情報以外のガイド情報を要求された場合に、ガイド情報が不足していると判断し、前記サーバからウエブページを取得する請求項５から７の何れか１項に記載の受信方法。
【請求項９】
番組及び付加データを多重化した放送波を放送局から受信するステップと、
受信した付加データからガイド情報を抽出するステップと、
前記付加データから抽出したガイド情報が不足している場合に、該付加データが示すサーバに接続して該サーバが提供するホームページを取得し、該ホームページの内容を解析することにより、番組表が載っているウエブページを取得するステップと、
前記ウエブページからガイド情報を生成して前記ガイド情報を補完するステップと、
を受信装置に実行させるための受信プログラム。
【請求項１０】
前記ガイド情報を表示部に表示させる請求項９に記載の受信プログラム。
【国際調査報告】
2009098775.tif 000011
2009098775.tif 000012
2009098775.tif 000013
2009098775.tif 000014